(57)【要約】【課題】  粘着テープをスムーズに繰り出し可能にし且つ粘着テープの余分な繰り出しを防止する。【解決手段】  本機１は、テープロールＲから繰り出される粘着テープＴをダンボール箱Ｂの天面Ｂｔに貼り付け、該テープＴをカッタ３４で切断する。カッタ３４は、遊端部が上下揺動自在のカッタアーム５５と、該アーム５５に設けられたカッタ刃５６と、該アーム５５を下方に付勢するカッタ付勢手段５７とを備え、天面Ｂｔに遊端部５５ａが乗り上がることにより、天面Ｂｔに貼り付けられたテープＴの上方でカッタ刃５６が退避し、天面Ｂｔから遊端部５５ａが外れて下降することにより、カッタ刃５６がテープＴを切断する。天面Ｂｔに遊端部５５ａが乗り上がっていない状態ではテープロールＲの回転に所定の回転抵抗を付与し、そうでない状態ではテープロールＲの回転に前記回転抵抗を付与しない回転規制装置６１を備える。【選択図】      図３
2011201655.tif 000002
【特許請求の範囲】
【請求項１】
ダンボール箱を一定方向へ搬送可能な搬送路と、該搬送路の上方に配設された封緘部とが機体に装備され、
前記封緘部は、回転自在に軸支されたテープロールから繰り出される粘着テープを該ダンボール箱の天面に貼り付けるとともに、該粘着テープをカッタにより切断するように構成されており、
前記カッタは、搬送方向後側が支軸で軸支されることにより搬送方向前側に延びる遊端部が上下に揺動自在に設けられたカッタアームと、該カッタアームの遊端部から前記支軸側へ間隔をおいて設けられたカッタ刃と、該カッタアームが下方に揺動するように付勢するカッタ付勢手段とを備え、前記搬送路上を移動する前記ダンボール箱の天面に前記遊端部が乗り上がることにより、該天面に貼り付けられた粘着テープの上方で前記カッタ刃が退避し、該天面の搬送方向後端部から前記遊端部が外れて下降することにより、前記カッタ刃が粘着テープを切断するように構成されたダンボールテープ貼付機であって、
前記封緘部は、前記ダンボール箱の天面に前記遊端部が乗り上がっていない状態では前記テープロールの回転に所定の回転抵抗を付与し、前記ダンボール箱の天面に前記遊端部が乗り上がっている状態では前記テープロールの回転に前記回転抵抗を付与しないように構成された回転規制装置を備えたダンボールテープ貼付機。
【請求項２】
前記回転規制装置は、前記遊端部が乗り上がっていない状態において、前記テープロールから前記粘着テープが繰り出されるときの回転である順方向の回転に対しては前記回転抵抗を付与する一方、該順方向とは逆方向の回転に対しては該回転を制止するように構成された請求項１記載のダンボールテープ貼付機。
【発明の詳細な説明】
【技術分野】
【０００１】
本発明は、ダンボール箱を粘着テープで封緘するダンボールテープ貼付機に関するものである。
【背景技術】
【０００２】
ダンボール箱Ｂの封緘は、図９に示すように、内フラップＦｉ，Ｆｉを内側に折り込まれるとともに、その上から外フラップＦｏ，Ｆｏが内側に折り込こまれた状態で、左右外フラップＦｏの接合線Ｌの上から粘着テープＴが貼り付けられることによりなされる。
【０００３】
従来のダンボールテープ貼付機として、特許文献１記載のダンボール箱の封緘装置を例示する。この装置は、図１０に示すように、左右一対の上蓋フラップを内側に折り込んだ状態のダンボール箱Ｂを左右上蓋フラップの接合線と平行に一定方向に搬送する搬送装置１０６と、粘着テープＴを繰り出すテープ繰出体１１２と、ダンボール箱Ｂの天面Ｂｔを前記接合線に沿って転動しつつ、その外周面で前記テープ繰出部から繰り出される粘着テープＴを粘着面側が左右上蓋フラップの両方にまたがって密着するように押し付ける押圧ローラ１１３，１１４と、テープ繰出体１１２から繰り出される粘着テープＴを所定長さに切断するカッタ１１５と、押圧ローラ１１３，１１４をダンボール箱Ｂの進行方向後面に沿って転動させる駆動手段とを備えている。
【０００４】
従来のこの種のダンボールテープ貼付機のテープ繰出体１１２においては、例えば、粘着テープＴのテープロール１１８を回転軸１１８ａを介して回転自在に軸支するとともに、該回転軸１１８ａに回転に所定の抵抗を付与することにより、テープロール１１８から余分な粘着テープＴが引き出されないようにしていることが多い。このように抵抗を付与するようにしている理由は、テープロール１１８からの粘着テープＴの繰り出しがダンボール箱Ｂへの粘着テープＴの貼り付けに応じて断続的に行われるので、仮に抵抗を付与していないと、繰り出しが停止したときにテープロール１１８が慣性で余分に回転し、これにより余分に繰り出された粘着テープＴが弛んでダンボールテープ貼付機の各部に粘着してしまう不具合が発生するためである。
【先行技術文献】
【特許文献】
【０００５】
【特許文献１】特開平７−２１５３１６号公報
【発明の概要】
【発明が解決しようとする課題】
【０００６】
ところが、テープロール１１８の回転に抵抗を付与すると、その抵抗が大きいほど前述した粘着テープＴの余分な繰り出しを防止するように作用するが、特にダンボール箱Ｂを手動で機体に押し込むときの力を利用して封緘するように構成された手動式のダンボールテープ貼付機では、ダンボール箱Ｂを手動で押し込むときの抵抗を増大させ、操作性が低下するという課題がある。
【課題を解決するための手段】
【０００７】
上記課題を解決するために、本発明のダンボールテープ貼付機は、
ダンボール箱を一定方向へ搬送可能な搬送路と、該搬送路の上方に配設された封緘部とが機体に装備され、
前記封緘部は、回転自在に軸支されたテープロールから繰り出される粘着テープを該ダンボール箱の天面に貼り付けるとともに、該粘着テープをカッタにより切断するように構成されており、
前記カッタは、搬送方向後側が支軸で軸支されることにより搬送方向前側に延びる遊端部が上下に揺動自在に設けられたカッタアームと、該カッタアームの遊端部から前記支軸側へ間隔をおいて設けられたカッタ刃と、該カッタアームが下方に揺動するように付勢するカッタ付勢手段とを備え、前記搬送路上を移動する前記ダンボール箱の天面に前記遊端部が乗り上がることにより、該天面に貼り付けられた粘着テープの上方で前記カッタ刃が退避し、該天面の搬送方向後端部から前記遊端部が外れて下降することにより、前記カッタ刃が粘着テープを切断するように構成されたダンボールテープ貼付機であって、
前記封緘部は、前記ダンボール箱の天面に前記遊端部が乗り上がっていない状態では前記テープロールの回転に所定の回転抵抗を付与し、前記ダンボール箱の天面に前記遊端部が乗り上がっている状態では前記テープロールの回転に前記回転抵抗を付与しないように構成された回転規制装置を備えている。
【０００８】
この構成によれば、前記ダンボール箱の天面に前記遊端部が乗り上がっていない状態、即ち粘着テープを繰り出す必要がない状態になると、前記回転抵抗が前記テープロールに付与されるので、テープロールからの余分な粘着テープの繰り出しを防止することができる。また、前記ダンボール箱の天面に前記遊端部が乗り上がっている状態、即ちダンボール箱へ貼り付けるために粘着テープを繰り出す必要がある状態になると、前記回転抵抗が前記テープロールの回転に付与されなくなるので、粘着テープをスムーズに繰り出すことができる。
【０００９】
また、前記ダンボールテープ貼付機においては、
前記回転規制装置は、前記遊端部が乗り上がっていない状態において、前記テープロールから前記粘着テープが繰り出されるときの回転である順方向の回転に対しては前記回転抵抗を付与する一方、該順方向とは逆方向の回転に対しては該回転を制止するように構成された態様を例示する。
【００１０】
この構成によれば、前記順方向の回転については、前記回転抵抗が付与されるもののテープロールの回転が可能なので、適宜強制的に粘着テープを引き出すことが可能となり、例えばテープロール交換作業等の粘着テープを適宜引き出しながら行う必要がある作業をスムーズに行うことができる。また、テープロールの前記逆方向の回転が制止されるので、万一粘着テープが多少余分に繰り出された場合でも、該粘着テープが弛むことがない。ダンボール箱の移動を機械で駆動する構成の場合、ダンボール箱の移動速度がほぼ一定で、しかも急に勢いよく移動されることがないが、ダンボール箱を手動で移動させる構成の場合、ダンボール箱の移動のさせ方は、作業者ごとに個人差があるし、同じ作業者でもその体調等によって異なるし、移動速度も一定ではないため、前記抵抗の調整が難しく、粘着テープが多少余分に繰り出されることも起こり得るので、本構成が効果を発揮する。
【発明の効果】
【００１１】
本発明に係るダンボールテープ貼付機によれば、粘着テープをスムーズに繰り出せるとともに、粘着テープの余分な繰り出しを防止できるという優れた効果を奏する。
【図面の簡単な説明】
【００１２】
【図１】本発明を具体化した一実施形態に係るダンボールテープ貼付機の斜視図である。
【図２】図１のＩＩ矢視図である。
【図３】同テープ貼付機の封緘部の側断面図であって、ダンボール箱を搬送路の入口から受け入れている状態を示す図である。
【図４】同テープ貼付機の封緘部の側断面図であって、ダンボール箱の天面に粘着テープを貼り付けている状態を示す図である。
【図５】同テープ貼付機の封緘部の側断面図であって、カッタが粘着テープを切断した直後の状態を示す図である。
【図６】同テープ貼付機の封緘部の側断面図であって、ダンボール箱を搬送路の出口から送り出している状態を示す図である。
【図７】同テープ貼付機の搬送路の高さ調節部を示す側面図である。
【図８】同高さ調節部のガイド板を示す側面図である。
【図９】ダンボール箱の構成を示す斜視図である。
【図１０】従来のダンボールテープ貼付機を示す側面図である。
【発明を実施するための形態】
【００１３】
図１〜図８は本発明を具体化した一実施形態のダンボールテープ貼付機１を示しており、各図において、矢印Ｃは搬送路の搬送方向前側であって、機体前側を指し示している。本例の封緘対象のダンボール箱Ｂは、背景技術において説明したもの（図９参照）と同じものとする。このテープ貼付機１は、左右一対の外フラップＦｏ，Ｆｏを内側に折り込んだ状態のダンボール箱Ｂを左右外フラップＦｏ，Ｆｏの接合線Ｌと平行に一定方向へ搬送可能な搬送路２と、該搬送路２の上方に配設された封緘部とが機体に装備されており、ダンボール箱Ｂが封緘部３に対して相対移動する力を利用して、該封緘部３が接合線Ｌに沿って粘着テープＴを貼り付けるように構成されている。
【００１４】
機体４は、４本の支柱１０により四隅が支持された基台１３を備えている。基台１３における後側の両支柱１０下端には、高さ調節可能に構成された支持脚１４が設けられ、同前側の両支柱１０の下端には、車輪１５が設けられている。基台１３には、その上側に搬送路２が高さ調節部２０を介して上下高さ調節可能に支持されている。基台１３における後側の支柱１０の上端には、前後方向に延びる水平フレーム２６が取り付けられている。左右の水平フレーム２６には、それぞれ上フレーム１８が立設されており、該両上フレーム１８には、左右方向に延びる横フレーム１９の両端部がそれぞれ支持されている。封緘部３の前半部かつ上半部が、該横フレーム１９に設けられたフランジ部１９ａを介して支持されている。このように搬送路２及び封緘部３は、上下方向への相対位置を調節可能に機体４に装備されている。
【００１５】
高さ調節部２０は、図７及び図８に示すように、支柱１０に取り付けられ、上下方向へ延びる長孔２１ａを有する高さ調節部本体２１と、該長孔２１ａを介して上下位置調節を可能に搬送路２を固定する固定手段としての固定ネジ２２と、該固定ネジ２２による搬送路２の固定位置を所定位置にガイドするためのガイド板２３とを備えている。高さ調節部本体２１には、その長孔２１ａにおける固定ネジ２２の軸２２ａの位置に対するダンボール箱の高さを示した目盛２１ｂが長孔２１ａに沿って設けられている。ガイド板２３は、上端部が高さ調節部本体２１に支軸２３ｄを介して回動自在に軸支されており、該支軸２３ｄから垂れ下がった状態において長孔２１ａに略沿って延びる端縁部２３ａを有している（図７（ａ）参照）。図８に示すように、端縁部２３ａには、搬送路の高さ位置が利用頻度の高いダンボール箱Ｂに対応した位置に設定されるように固定ネジ２２の軸２２ａの位置をガイドするための凹部２３ｅが、１又は２箇所以上（本例では、５箇所）に形成されている。各凹部２３ｅは、その略上向きの端面２３ｆで固定ネジ２２の軸２２ａを受け止めるようになっているとともに、該略上向きの端面２３ｆに固定ネジ２２の軸２２ａを受け入れやすくするために、該略上向きの端面２３ｆの上方が固定ネジ２２の軸２２ａの径よりも広めに切り欠かれている。ガイド板２３には、各凹部２３ｅに対応するダンボール箱Ｂの高さ及びダンボール箱Ｂの用途（ダンボール箱Ｂに詰める農作物の品種、サイズ等）を示した目盛２３ｂが設けられている。
【００１６】
本例のガイド板２３は、支軸２３ｄから垂れ下がった状態において、端縁部２３ａが長孔２１ａを覆うとともに凹部２３ｅの位置が、長孔２１ａとが重なる位置又は長孔２１ａよりも端縁部２３ａ側に配設されている（図７（ａ）参照）。これにより、端縁部２３ａが長孔２１ａと重ならないようにガイド板２３を手で反端縁部側に回動させておき（図７（ｂ）参照）、長孔２１ａ内における固定ネジ２２の上下位置が所要の凹部２３ｅの位置になるように大まかに調節し、ガイド板２３から手を離すと、ガイド板２３がその自重で支軸２３ｄから垂れ下がる状態まで回動し、固定ネジ２２と凹部２３ｅが係合するようになっている（図７（ａ）参照）。
【００１７】
なお、ガイド板２３を支軸２３ｄで軸支することに代えて、図８に二点鎖線で示すように、ガイド板２３に略水平に延びる上下一対の横長孔２３ｃを設け、該両横長孔２３ｃをそれぞれ軸支するように構成することも可能である。この構成によれば、高さ調節部本体２１に対してガイド板２３を略水平にスライド移動可能させることにより、長孔２１ａと凹部が重なるようにしたり、重ならないようにしたりすることができる。
【００１８】
この高さ調節部２０によれば、特定の用途ごとに特化して制作したガイド板２３を用意しておけば、該ガイド板２３を交換するだけで特定の用途に対応した高さ調節が可能になる。また、端縁部２３ａが長孔２１ａから離れるようにガイド板２３を回動させておいたり（図７（ｂ）参照）、ガイド板２３を取り外したりしておくことにより、長孔２１ａにおける任意の上下位置に搬送路２を固定することも可能になっている。
【００１９】
搬送路２は、機体４の後側から前側に向けてダンボール箱Ｂを搬送するためのローラコンベア２４と、該ローラコンベア２４上のダンボール箱Ｂの向きをガイドするガイド部２５とを備えている。ガイド部２５は、各水平フレーム２６の機体内方に平行運動機構２７を介して支持されたガイド棒２８を備えている。各水平フレーム２６の後端側には、機体４を持ち上げて移動させるためのハンドル２９が設けられている。両ガイド棒２８は互いに平行に支持されており、ダンボール箱Ｂの側面を左右両側から挟持するようにしてダンボール箱Ｂの向きをガイドするようになっている。両ガイド棒２８の間隔は搬送するダンボール箱Ｂに合わせて平行運動機構２７により調節可能となっている。
【００２０】
封緘部３は、搬送路２の幅方向のサイズが同方向における封緘対象のダンボール箱Ｂのサイズよりも小さく形成されているとともに、封緘部３の前半部かつ上半部が、該横フレーム１９に設けられたフランジ部１９ａを介して支持されている。このように封緘部３は、その下部両側部が機体４に支持されておらず、該両側部以外の部位が機体４に支持されるように構成されることにより、該両側部の近傍に一対の空間Ｓ，Ｓが形成されるようになっている。そして、図２に示すように、作業者が、搬送路２の入口側に載置されたダンボール箱Ｂにおける搬送方向後側の両上角近傍を両手Ｈ，Ｈでそれぞれ持ったまま、該一対の空間Ｓ，Ｓに該両手Ｈ，Ｈを押し込むと、該ダンボール箱Ｂが搬送路２の出口側に押し出されるように構成されている。
【００２１】
この封緘部３は、回転自在に軸支されたテープロールＲから粘着テープＴを繰り出すテープ繰出部３１と、ダンボール箱Ｂの天面Ｂｔを接合線Ｌに沿って転動しつつ、その外周面でテープ繰出部３１から繰り出される粘着テープＴを粘着面側が左右外フラップＦｏの両方にまたがって密着するように押し付ける前後２個の押圧ローラ３２，３３と、テープ繰出部３１から繰り出される粘着テープＴを切断するカッタ３４と、押圧ローラ３３がダンボール箱Ｂの進行方向後面を転動するときに左右外フラップＦｏが浮き上がらないように上から押さえる押止具としての押止ローラ３５と、搬送方向後側に設けられたカバー３０と、テープロールの回転を規制するための回転規制装置６１とが、封緘部フレーム３９に装備されている。封緘部フレーム３９は、フレーム本体４５と、該フレーム本体４５に対する上下位置を調節可能に、該フレーム本体４５の前後にそれぞれ設けられた前側フレーム４６及び後側フレーム４７とを備えている。本例では、前側フレーム４６及び後側フレーム４７は、それぞれ上下に延びる長孔４６ａ，４７ａを有しており、該長孔４６ａ，４７ａを介して締結手段４８（本例ではボルト及びナット）でフレーム本体４５に取り付けられることにより、該フレーム本体４５に対する上下位置が調節可能になっている。フレーム本体４５にはテープ繰出部３１、押圧ローラ３２，３３等が、前側フレーム４６にはカッタ３４、カバー３０等が、後側フレーム４７には、押止ローラ３５等が、それぞれ装備されている。
【００２２】
テープ繰出部３１は、フレーム本体４５に立設されたテープ支持輪ステー５０の上端部にテープ支持軸５１を介して回転自在に軸支されたテープ支持輪５２と、該テープ支持輪５２に装着されたテープロールＲから繰り出される粘着テープＴを押圧ローラ３２の直前部まで案内するガイドローラ４０，４１と、該直前部で、粘着テープＴの先端を挟持するテープ案内板４２及びテープ押さえ板４３とを備えており、押圧ローラ３２の直前部に対し、粘着面側を前方に向けた状態で粘着テープＴを供給するようになっている。なお、テープ支持軸５１とテープ支持輪５２との間には、図示しない補助抵抗付与手段（例えば圧縮バネ）が介挿されており、これによりテープ支持輪５２に所定の回転抵抗が付与されるようになっており、後述する回転規制装置６１による抵抗が付与されない状態でもテープロールＲに若干の回転抵抗が付与されるようにしている。補助抵抗付与手段による回転抵抗の大きさは調節可能に構成されている。
【００２３】
前後２個の押圧ローラ３２，３３は、支軸３６ａ，３７ａを支点にして回動自在なアーム３６，３７の下端部にそれぞれ取り付けられており、両アーム３６，３７は連動して互いに逆向きに回動するように連結ロッド３８で連結されるとともに、両アーム３６，３７の間隔が開く方向に付勢手段（図示略）により付勢されている。貼付手段３ａは、これらの構成要素３２，３３，３６，３６ａ，３７，３７ａ，３８からなっている。
【００２４】
カッタ３４は、前側フレーム４６に搬送方向後側が支軸５４で軸支されることにより搬送方向前側に延びる遊端部５５ａが上下に揺動自在に設けられたカッタアーム５５と、該カッタアーム５５の遊端部５５ａから前記支軸側へ間隔をおいて設けられたカッタ刃５６と、該カッタアーム５５が下方に揺動するように付勢するカッタ付勢手段５７とを備えている。そして、このカッタ３４は、搬送路２の上を移動するダンボール箱Ｂの天面Ｂｔに遊端部５５ａが乗り上がることにより、該天面Ｂｔに貼り付けられた粘着テープＴの上方でカッタ刃５６が退避し、該天面Ｂｔの搬送方向後端部から遊端部５５ａが外れて下降することにより、カッタ刃５６が粘着テープＴを切断するように構成されている。カッタ刃５６は、先端が鋸刃状に形成されており、両押圧ローラ３２，３３の間に位置している。支軸５４は、前側フレーム４６を介してフレーム本体４５に取り付けられており、これにより、カッタ３４は、貼付手段３ａに対する支軸５４の上下位置が調節可能に構成されている。
【００２５】
押止具としての押止ローラ３５は、周面の下端がダンボール箱Ｂの天面Ｂｔとほぼ同じ高さに位置するように設けられている。押止ローラ３５は、後側フレーム４７を介して封緘部３のフレーム本体４５に取り付けられており、これにより、押止ローラ３５は、貼付手段３ａに対する上下位置が調節可能に構成されている。
【００２６】
カバー３０は、封緘部３の下部よりも下側及び左右両側に張り出した形状に形成されている。カバー３０における下側への張り出し部は、封緘部３の底部とダンボール箱Ｂの天面Ｂｔとの隙間を狭めるようになっている。カバー３０の下縁は、ダンボール箱Ｂの天面Ｂｔを傷付けないように、搬送方向前側に湾曲した形状となっている。カバー３０における左右両側への張り出し部は、封緘部３の前記下部両側部に存在する突部（各支軸の端部等）のなかで側方への突出長さが最長のものと同等以上に側方へ張り出すように形成されている。カバー３０は、前側フレーム４６を介して封緘部３のフレーム本体４５に取り付けられており、貼付手段３ａに対する上下位置が調節可能に構成されている。
【００２７】
回転規制装置６１は、テープ支持輪５２に対しそれと同軸に取り付けられたスプロケット６２と、一端部に設けられた爪６３ａがスプロケット６２の歯６２ａに係合又は離脱可能となるように、テープ支持輪ステー５０に対し支点６３ｂが回動自在に軸支されたレバー６３と、該レバー６３の他端部及び該カッタアーム５５の遊端部側を連結するリンク６４とを備えている。リンク６４は長さ調節可能に構成されている。カッタアーム５５の遊端部側は下方に付勢されているので、ダンボール箱Ｂの天面Ｂｔに遊端部５５ａが乗り上がっていない状態では、リンク６４を介してレバー６３の他端部が下方に回動され、スプロケット６２の歯６２ａに爪６３ａが係合する。一方、ダンボール箱Ｂの天面Ｂｔに遊端部５５ａが乗り上がることにより、該遊端部５５ａが上方に押し上げられると、リンク６４を介してレバー６３の他端部が上方に回動され、スプロケット６２の歯６２ａから爪６３ａが離脱する。爪６３ａが設けられているレバー６３の一端部は、支点６３ｂに対して、テープロールＲから粘着テープＴが繰り出されるときの回転である順方向の回転方向側に配設されており、これにより、ダンボール箱Ｂの天面Ｂｔに遊端部５５ａが乗り上がっていない状態、即ちスプロケット６２の歯６２ａに爪６３ａが係合している状態において、テープロールＲの順方向の回転Ｄ１に対しては、爪６３ａが歯６２ａの輪郭に沿って摺動することにより、所定の回転抵抗を付与するが、該順方向とは逆方向の回転Ｄ２に対しては、爪６３ａが歯６２ａに噛み込むことにより、該回転を制止するように構成されている。
【００２８】
次に、このテープ貼付機１の使用方法について説明する。
（１）封緘作業を始める前の調節方法について説明すると、封緘対象のダンボール箱Ｂを内フラップＦｉ，Ｆｉ及び外フラップＦｏ，Ｆｏが内側に折り込まれた状態にし、搬送路２に載せ、カバー３０の下縁がダンボール箱Ｂの天面Ｂｔの直ぐ上に位置するように、搬送路２の高さを調節するとともに、ダンボール箱Ｂの両側面に軽く接する程度に左右のガイド棒２８の間隔を調整する。
【００２９】
（２）封緘作業の方法について説明すると、まず、作業者が機体後側に立ち、ダンボール箱Ｂを搬送路２の入口に載せ、ダンボール箱Ｂを内フラップＦｉ，Ｆｉ及び外フラップＦｏ，Ｆｏが内側に折り込まれた状態にし、該ダンボール箱Ｂの搬送方向後側における両上角付近を両手でそれぞれ持ち、搬送路２の出口側へ向けてダンボール箱Ｂを押し込んで行く（図３参照）。このようにダンボール箱Ｂの天面Ｂｔに遊端部５５ａが乗り上がっていない状態では、リンク６４を介して、爪６３ａが歯６２ａに係合する方向へレバー６３が回動され、テープロールＲの回転に所定の回転抵抗を付与する。ダンボール箱Ｂが所定位置に到達すると、テープロールＲから所定長さ繰り出されている粘着テープＴの先端部の粘着面にダンボール箱Ｂの前面上部が接触する。この粘着テープＴの先端部は、その搬送方向前側に位置している押圧ローラ３２によってダンボール箱Ｂに押し付けられる。ダンボール箱Ｂが前進するのに伴って、押圧ローラ３２が粘着テープＴを押圧しながらダンボール箱Ｂの前面を上向きに転動した後、左右外フラップＦｏの接合線Ｌに沿ってダンボール箱Ｂの天面Ｂｔを転動することにより天面Ｂｔの封緘を行う（図４参照）。このようにダンボール箱Ｂの天面Ｂｔに遊端部５５ａが乗り上がっている状態では、リンク６４を介して、爪６３ａが歯６２ａから離脱する方向へレバー６３が回動され、テープロールＲの回転に前記回転抵抗を付与する。このとき、連結ロッド３８により押圧ローラ３２と連動して押圧ローラ３３も天面Ｂｔの高さまで上昇しており、押圧ローラ３２に追随して押圧ローラ３３も天面Ｂｔの封緘を行う。また、このときカッタ３４はダンボール箱Ｂの天面Ｂｔに遊端部５５ａが乗り上がることにより、天面Ｂｔに貼り付けられた粘着テープＴの上方でカッタ刃５６が退避しているが、押圧ローラ３２が天面Ｂｔから外れた後、該天面Ｂｔの搬送方向後端部から遊端部５５ａが外れて下降することにより、カッタ刃５６が粘着テープＴを切断するようになっている（図５参照）。このようにダンボール箱Ｂの天面Ｂｔに遊端部５５ａが乗り上がっていない状態では、リンク６４を介して、爪６３ａが歯６２ａに係合する方向へレバー６３が回動され、テープロールＲの回転に所定の回転抵抗を付与する。その後、押圧ローラ３３がダンボール箱Ｂの天面Ｂｔに引き続いて後面を下方に転動し、粘着テープＴをその先端まで後面に圧着する。この状態となるまで、作業者がダンボール箱Ｂを搬送路２の出口側へ押し込むと、搬送路２の出口側に封緘されたダンボール箱Ｂが送り出される（図６参照）。
【００３０】
以上のように本例のダンボールテープ貼付機１では、回転規制装置６１は、ダンボール箱Ｂの天面Ｂｔに遊端部５５ａが乗り上がっていない状態では、リンク６４を介して、爪６３ａが歯６２ａに係合する方向へレバー６３が回動され、テープロールＲの回転に所定の回転抵抗を付与する一方、ダンボール箱Ｂの天面Ｂｔに遊端部５５ａが乗り上がっている状態では、リンク６４を介して、爪６３ａが歯６２ａから離脱する方向へレバー６３が回動され、テープロールＲの回転に前記回転抵抗を付与しないように構成されている。この構成によれば、ダンボール箱Ｂの天面Ｂｔに遊端部５５ａが乗り上がっていない状態、即ち粘着テープＴを繰り出す必要がない状態になると、前記回転抵抗がテープロールＲに付与されるので、テープロールＲからの余分な粘着テープＴの繰り出しを防止することができる。また、ダンボール箱Ｂの天面Ｂｔに遊端部５５ａが乗り上がっている状態、即ちダンボール箱Ｂへ貼り付けるために粘着テープＴを繰り出す必要がある状態になると、前記回転抵抗がテープロールＲの回転に付与されなくなるので、粘着テープＴをスムーズに繰り出すことができる。
【００３１】
また、回転規制装置６１は、遊端部５５ａが乗り上がっていない状態において、テープロールＲから粘着テープＴが繰り出されるときの回転である順方向の回転Ｄ１に対しては前記回転抵抗を付与する一方、該順方向とは逆方向の回転Ｄ２に対しては該回転を制止するように構成されている。この構成によれば、前記順方向の回転Ｄ１については、前記回転抵抗が付与されるもののテープロールＲの回転が可能なので、適宜強制的に粘着テープＴを引き出すことが可能となり、例えばテープロール交換作業等の粘着テープＴを適宜引き出しながら行う必要がある作業をスムーズに行うことができる。また、テープロールＲの前記逆方向の回転Ｄ２が制止されるので、万一粘着テープＴが多少余分に繰り出された場合でも、該粘着テープＴが弛むことがない。ダンボール箱Ｂの移動を機械で駆動する構成の場合、ダンボール箱Ｂの移動速度がほぼ一定で、しかも急に勢いよく移動されることがないが、ダンボール箱Ｂを手動で移動させる構成の場合、ダンボール箱Ｂの移動のさせ方は、作業者ごとに個人差があるし、同じ作業者でもその体調等によって異なるし、移動速度も一定ではないため、前記回転抵抗の調整が難しく、粘着テープＴが多少余分に繰り出されることも起こり得るので、本構成が効果を発揮する。
【００３２】
なお、本発明は前記実施形態に限定されるものではなく、例えば以下のように、発明の趣旨から逸脱しない範囲で適宜変更して具体化することもできる。
（１）本発明を、例えば搬送装置のような動力源（モータ、エンジン等）を含む構成を備えたダンボールテープ貼付機に適用すること。
（２）回転規制装置６１におけるスプロケット６２に代えて、周面の摩擦抵抗が大きい円盤（例えば、周面がゴム製若しくは軟質樹脂製の円盤、又は、周面が粗面に形成された円盤）を用いること。
（３）回転規制装置６１におけるリンク６４に代えて、カッタアーム５５の状態を検出するセンサと、該検出状態に応じてレバー６３を電磁的に駆動するアクチュエータとを設けること。
【符号の説明】
【００３３】
１    ダンボールテープ貼付機
２    搬送路
３    封緘部
３ａ  貼付手段
４    機体
２０    高さ調節部
２１    高さ調節部本体
２１ａ  長孔
２１ｂ  目盛
２２    固定ネジ
２２ａ  軸
２３    ガイド板
２３ａ  端縁部
２３ｂ  目盛
２３ｃ  横長孔
２３ｄ  支軸
２３ｅ  凹部
２３ｆ  端面
３１    テープ繰出部
３４    カッタ
５０    テープ支持輪ステー
５１    テープ支持軸
５２    テープ支持輪
５４    支軸
５５    カッタアーム
５５ａ  遊端部
５６    カッタ刃
５７    カッタ付勢手段
６１    回転規制装置
６２    スプロケット
６２ａ  歯
６３    レバー
６３ａ  爪
６３ｂ  支点
６４    リンク
Ｂ      ダンボール箱
Ｂｔ    ダンボール箱の天面
Ｃ      搬送方向前側、機体前側
Ｆｉ    内フラップ
Ｆｏ    外フラップ
Ｈ      作業者の手
Ｌ      接合線
Ｒ      テープロール
Ｓ      空間
Ｔ      粘着テープ
Ｄ１    順方向の回転
Ｄ２    逆方向の回転
【図１】
2011201655.tif 000003
【図２】
2011201655.tif 000004
【図３】
2011201655.tif 000005
【図４】
2011201655.tif 000006
【図５】
2011201655.tif 000007
【図６】
2011201655.tif 000008
【図７】
2011201655.tif 000009
【図８】
2011201655.tif 000010
【図９】
2011201655.tif 000011
【図１０】
2011201655.tif 000012